(57)【要約】【課題】静止画像の撮影のための操作中において、そのシチュエーションにおいてより良い画像を撮影するためのアドバイスを使用者に提供する。【解決手段】撮像範囲内の少なくとも１つの被写体の種類を認識する認識部と、認識した被写体の種類に応じて、撮影のシチュエーションを判別する判別部と、判別した撮影のシチュエーションにおいて、より良い画像を撮影するためのアドバイスを取得するアドバイス取得部と、取得したアドバイスを使用者に提供するアドバイス提供部と、を備える撮像装置を提供する。【選択図】図１
2013128251.tif 000002
【特許請求の範囲】
【請求項１】
撮像範囲内の少なくとも１つの被写体の種類を認識する認識部と、
認識した被写体の種類に応じて、撮影のシチュエーションを判別する判別部と、
判別した撮影のシチュエーションにおいて、より良い画像を撮影するためのアドバイスを取得するアドバイス取得部と、
取得したアドバイスを使用者に提供するアドバイス提供部と、
を備える撮像装置。
【請求項２】
撮影のシチュエーション毎に、そのシチュエーションにおいてより良い画像を撮影するためのアドバイスを記憶するアドバイス格納部を更に備え、
前記アドバイス取得部は、前記判別部が判別した撮影のシチュエーションに対応するアドバイスを、前記アドバイス格納部から読み出す
請求項１に記載の撮像装置。
【請求項３】
前記アドバイス提供部は、構図、フォーカスを合わせるべき被写体、絞り、シャッタースピード、感度、およびズーム量の少なくとも１つについてのアドバイスを使用者に提供する請求項１または２に記載の撮像装置。
【請求項４】
前記アドバイス提供部は、撮影のシチュエーションを判別した後撮影に至るまでの複数の撮影ステップのそれぞれについて、アドバイスを使用者に提供する請求項３に記載の撮像装置。
【請求項５】
前記アドバイス提供部は、
判別した撮影のシチュエーションにおける構図についてのアドバイスを使用者に提供する撮影ステップと、
判別した撮影のシチュエーションにおけるシャッタースピードおよび感度の少なくとも一方についてのアドバイスを使用者に提供する撮影ステップと、
判別した撮影のシチュエーションにおけるフォーカスを合わせるべき被写体についてのアドバイスを使用者に提供する撮影ステップと、
を含む前記複数の撮影ステップのそれぞれについて、アドバイスを使用者に提供する
請求項４に記載の撮像装置。
【請求項６】
撮像前において撮像センサから順次取得される撮像範囲の画像を順次表示する表示装置を更に備え、
前記アドバイス提供部は、前記表示装置上に撮像範囲の画像と共にアドバイスを表示させる
請求項１から５のいずれか一項に記載の撮像装置。
【請求項７】
前記アドバイス提供部は、前記表示装置上に、撮像範囲の画像に重ねてアドバイス用の動画像を表示させる請求項６に記載の撮像装置。
【請求項８】
前記アドバイス提供部は、熟練者が同じシチュエーションでの撮影操作中に、熟練者の撮像装置において撮像センサから順次取得された画像の録画を、前記表示装置上に、今回の撮影操作中に撮像センサから順次取得された画像の一部に重ねて表示する請求項７に記載の撮像装置。
【請求項９】
前記アドバイス提供部は、アドバイスとして、異なる撮像パラメータの設定に応じた画像の変化を前記表示装置に表示させる請求項７または８に記載の撮像装置。
【請求項１０】
前記アドバイス提供部は、
使用者がアドバイスに基づいて当該撮像装置を操作すべきタイミングにおいてアドバイス用の動画像を一時停止し、
使用者がアドバイス用の動画像の再生を指示した場合、およびアドバイスに基づいた操作を受けた場合の少なくとも一方の場合に、アドバイス用の動画像の再生を再開する
請求項７から９のいずれか一項に記載の撮像装置。
【請求項１１】
前記アドバイス提供部は、
判別された撮影のシチュエーションにおいて提供可能なアドバイスが存在することを使用者に通知し、
使用者から、アドバイスの提供指示を受けたことを条件として、アドバイスを提供する
請求項１から１０のいずれか一項に記載の撮像装置。
【請求項１２】
前記アドバイス提供部は、当該撮像装置の設定と、使用者に提供するアドバイスの前提となる設定とが異なる場合に、アドバイスの提供に先立って、当該撮像装置の設定をアドバイスの前提となる設定に変更する説明を使用者に提供する請求項１から１１のいずれか一項に記載の撮像装置。
【請求項１３】
前記アドバイス提供部は、アドバイスの前提となるレンズまたは撮影アクセサリーが当該撮像装置に装着されていない場合に、当該レンズまたは当該撮影アクセサリーの装着を使用者にアドバイスする請求項１から１２のいずれか一項に記載の撮像装置。
【請求項１４】
使用者がアドバイスの記録を指示したことに応じて、使用者の操作を順次取得して、アドバイスとして記録するアドバイス記録部を更に備える請求項１から１３のいずれか一項に記載の撮像装置。
【請求項１５】
画像を撮像する撮像装置用のプログラムであって、
撮像範囲内の少なくとも１つの被写体の種類を認識するステップと、
認識した被写体の種類に応じて、撮影のシチュエーションを判別するステップと、
判別した撮影のシチュエーションにおいて、より良い画像を撮影するためのアドバイスを取得するステップと、
取得したアドバイスを使用者に提供するステップと、
をコンピュータに実行させるプログラム。
【発明の詳細な説明】
【技術分野】
【０００１】
本発明は、撮像装置およびプログラムに関する。
【背景技術】
【０００２】
デジタル一眼レフカメラは、様々な印象を与える静止画像を撮影することができる。しかし、自分の意図通りの印象の静止画像を撮影するには、多くのパラメータを適切に設定しなければならないので熟練を要する。
［先行技術文献］
［特許文献］
［特許文献１］特開２００３−７８８６８号公報
【発明の概要】
【発明が解決しようとする課題】
【０００３】
例えばデジタル一眼レフカメラを購入したばかりといった初心者は、パラメータをどのように設定すれば、どのような印象の静止画像が撮影できるかを理解しておらず、デジタル一眼レフカメラを使いこなすことが難しい。また、説明書によって予め学習しておいたとしても、実際の撮影現場において思い出しながら再現するのは難しい。
【課題を解決するための手段】
【０００４】
本発明の第１の態様においては、撮像範囲内の少なくとも１つの被写体の種類を認識する認識部と、認識した被写体の種類に応じて、撮影のシチュエーションを判別する判別部と、判別した撮影のシチュエーションにおいて、より良い画像を撮影するためのアドバイスを取得するアドバイス取得部と、取得したアドバイスを使用者に提供するアドバイス提供部と、を備える撮像装置を提供する。
【０００５】
本発明の第２の態様においては、画像を撮像する撮像装置用のプログラムであって、撮像範囲内の少なくとも１つの被写体の種類を認識するステップと、認識した被写体の種類に応じて、撮影のシチュエーションを判別するステップと、判別した撮影のシチュエーションにおいて、より良い画像を撮影するためのアドバイスを取得するステップと、取得したアドバイスを使用者に提供するステップと、をコンピュータに実行させるプログラムを提供する。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本実施形態に係るアドバイス提供システム１０の構成を示す。
【図２】シチュエーション毎に分類されたアドバイスファイルの一例を示す。
【図３】アドバイスファイルに含まれるデータの一例を示す。
【図４】本実施形態に係る撮像装置２０のシステム構成図である。
【図５】アドバイスを記録する場合の処理ステップの一例を示す。
【図６】アドバイス提供モードの処理ステップを示す。
【図７】本実施形態に係る撮像装置２０のライブビュー画像１００の一例を示す。
【図８】ステップ再生において表示部３６に表示されるライブビュー画像１００およびアドバイス用の動画像２００の一例を示す。
【図９】ステップ再生におけるアドバイスの提供ステップおよびアドバイス用の動画像２００の一例を示す。
【図１０】ピンポイント再生において表示されるライブビュー画像１００の一例を示す。
【図１１】人物に関するアドバイスが表示されたライブビュー画像１００の一例を示す。
【図１２】水平線に関するアドバイスが表示されたライブビュー画像１００の一例を示す。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係るアドバイス提供システム１０の構成を示す。アドバイス提供システム１０は、撮像装置２０の使用者（例えば初心者）に対して、他の使用者（例えば熟練者）によるその撮像のシチュエーションにおいてより良い画像を撮影するためのアドバイスを提供する。
【００１０】
より具体的には、まず、アドバイスの提供者（例えば熟練者）は、現在の撮像のシチュエーションにおいてより良い画像を撮影するのはどうしたらよいのかを、自身の撮像装置２０を操作したり、自身の撮像装置２０に対して発声をしたりしながら、説明をする。アドバイスの提供者が説明をしている間、アドバイスの提供者に操作されている撮像装置２０は、電子ファインダとして機能させるために表示部に表示されるライブビュー画像、提供者の音声、および、撮像装置２０に対して設定された設定値等の記録をする。
【００１１】
アドバイスの提供者による説明が終了すると、アドバイスの提供者に操作されている撮像装置２０は、記録していたライブビュー画像の動画像データ、提供者の音声データおよび設定値等を含むアドバイスファイルを生成する。アドバイスファイルは、テキストデータが追加されたり、動画像データおよび音声データが編集されたりしてもよい。
【００１２】
生成されたアドバイスファイルは、撮像装置２０またはコンピュータから、ネットワークを介してサーバ１２にアップロードされる。サーバ１２にアップロードされたアドバイスファイルは、撮影のシチュエーション毎に分類して管理される。
【００１３】
アドバイスの提供を受ける使用者（例えば初心者）は、撮影のシチュエーションに対応する１または複数のアドバイスファイルを、ネットワークまたは記録媒体を介して取得して、自身が使用する撮像装置２０内にダウンロードする。アドバイスの提供を受ける使用者は、撮像装置２０内にダウンロードしたアドバイスファイルの中から、現在の撮影のシチュエーションに対応する１つのアドバイスファイルを選択する。そして、アドバイスの提供を受ける使用者は、選択したアドバイスファイルを撮像装置２０によって再生させながら、撮影操作を行う。これにより、アドバイスの提供を受ける使用者は、実際に画像を撮影している最中に、熟練者がどのような考え方で各種の設定を行って画像を撮影しているのかを学習することができる。
【００１４】
図２は、シチュエーション毎に分類されたアドバイスファイルの一例を示す。サーバ１２は、静止画像の撮影時における撮影のシチュエーション毎に分類されたアドバイスファイルを保存する。アドバイスファイルは、例えば、「夕焼けの波打ち際」、「運動会」および「ポートレイト」といったような撮影のシチュエーション毎に分類される。また、１つの撮影のシチュエーションに対して、複数のアドバイスファイルが存在してもよい。アドバイスファイルは、一例として、予め定められた複数の撮影のシチュエーションの中から何れか１つの適切な撮影のシチュエーションが対応付けられる。
【００１５】
また、アドバイスファイルのそれぞれには、撮影のシチュエーションを判別するためのタグが付加されている。タグは、一例として、静止画像に写っている被写体の種類、撮像日時、撮像時刻、位置情報（緯度、経度情報）、撮影した方角、被写体が動いている物体か静止している物体かを判別する動体情報、色分布および露出分布等を含む。撮像装置２０は、一例として、このタグを参照して、撮影しようとしているシチュエーションに対応するアドバイスファイルを検索する。
【００１６】
図３は、アドバイスファイルに含まれるデータの一例を示す。アドバイスファイルには、一例として、１または複数の動画像データ、１または複数の音声データ、および、１または複数のテキストデータが含まれる。動画像データは、一例として、設定操作のアドバイスを含んだライブビュー画像である。音声データは、一例として、撮影時において熟練者等により発声されたアドバイスを含んだ音声によるデータである。テキストデータは、撮影後の編集時等に入力されたデータである。
【００１７】
また、アドバイスファイルには、更に、実際の設定値の情報が含まれる。設定値とは、撮像時における、シャッタ速度、絞りおよびＩＳＯ感度等の値である。また、アドバイスファイルには、更に、アドバイスファイルを生成した場合において実際に撮像した静止画像データ、および、実際に撮像した静止画像データのサムネイルデータが含まれてもよい。
【００１８】
図４は、本実施形態に係る撮像装置２０のシステム構成図である。ここでは、レンズ交換式カメラを例に説明する。
【００１９】
撮像装置２０は、カメラ本体２２に交換レンズ２１が装着されて構成される。カメラ本体２２には、焦点距離、開放Ｆ値等の異なる複数の交換レンズ２１が交換可能に装着される。交換レンズ２１は、その鏡筒内に、光軸１１に沿って配列された光学系を備え、光軸１１に沿って入射する被写体光束をカメラ本体２２へ導く。
【００２０】
カメラ本体２２の上面には、ユーザから各種入力を受け付ける受付部としての役割を担う複数の操作部材が設けられている。具体的には、撮影指示を受け付けるレリーズボタン、絞り値の変更に用いられる絞りボタン、各種情報を示す情報画面の表示指示を受け付ける情報表示ボタン、撮影モードの切り替えを受け付ける撮影モードダイヤル等が配置されている。
【００２１】
カメラ本体２２の背面には、液晶モニタ等の表示部３６が設けられている。また、カメラ本体２２の背面においても、上面と同様に、ユーザから各種入力を受け付ける受付部としての役割を担う複数の操作部材が設けられている。具体的には、シャッタ速度、絞り値を調整するためのコマンドダイヤル、表示部３６に表示されたカーソル等の移動に用いられる十字キー、カーソルで選択された項目の機能等を実行させる決定ボタン等が配置されている。また、様々な設定項目を表示部３６に表示させるメニューボタン、ユーザによって予め割り当てられた機能を指示するための機能ボタン等が配置されている。
【００２２】
被写体像は、光軸１１に沿って光学系を透過し、撮像素子１３３の受光面に結像する。光学系は、ズームレンズ１２１、フォーカスレンズ１２２、絞り１２３等を含む。光学系は、レンズシステム制御部１２０によって制御される。例えば、レンズシステム制御部１２０は、レンズ駆動回路１２４を介してズームレンズ１２１を移動させるモータおよびフォーカスレンズ１２２を移動させるモータを制御する。また、レンズシステム制御部１２０は、絞り駆動回路１２５を介して絞り１２３を駆動する。また、レンズシステム制御部１２０は、レンズマウント接点１２６およびカメラマウント接点１３１を介してカメラシステム制御部１３０と接続され、相互に通信を実行しつつ協働して交換レンズ２１とカメラ本体２２を制御する。なお、レンズマウント接点１２６およびカメラマウント接点１３１は、それぞれ上述の交換レンズ２１側の通信端子およびカメラ本体２２側の通信端子を含む。
【００２３】
撮像素子１３３は、光学系を透過して入射する被写体像である光学像を光電変換する素子であり、例えば、ＣＣＤ、ＣＭＯＳセンサが用いられる。シャッタ１３４は、撮像素子１３３に対して撮影時のみ光が入射するように、撮影時の露光時間中のみ開き、それ以外の時は光をさえぎる。撮像素子１３３で光電変換された被写体像は、Ａ／Ｄ変換器１３５でアナログ信号からデジタル信号に変換される。デジタル信号に変換された被写体像は、画像データとして順次処理される。
【００２４】
Ａ／Ｄ変換器１３５によりデジタル信号に変換された画像データは、画像処理部１３６へ引き渡される。画像処理部１３６は、撮影モード、ユーザからの指示に従って、画像データをＪＰＥＧファイル等の規格化された画像フォーマットの画像データに変換する。メモリ制御部１３７は、いかなる作業にどれくらいのメモリ容量を割り当てるかを制御する。内部メモリ１３８は、高速で読み書きのできるランダムアクセスメモリであり、例えばＤＲＡＭ、ＳＲＡＭなどが用いられる。内部メモリ１３８は、画像処理部１３６が行う処理において、ワークメモリとしての役割を担う。画像処理部１３６によって処理された画像データは、メモリ制御部１３７の制御により、内部メモリ１３８から外部機器ＩＦ１４０を介して、記録媒体の記録部１４１に記録される。記録媒体は、フラッシュメモリ等により構成される、カメラ本体２２に対して着脱可能な不揮発性メモリである。
【００２５】
画像処理部１３６で処理された画像データは、記録用に処理される画像データに並行して、表示用の画像データを生成する。生成された表示用の画像データは、表示制御部１３９の制御に従って、表示部３６に表示される。記録の有無に関わらず、逐次表示用の画像データを生成して表示部３６に表示すれば、電子ファインダ機能としてライブビューを実現できる。また、画像の表示と共に、もしくは画像を表示することなく、撮像装置２０の各種設定に関する様々なメニュー項目も、表示制御部１３９の制御により表示部３６に表示することができる。
【００２６】
撮像装置２０は、上記の画像処理における各々の要素も含めて、カメラシステム制御部１３０により直接的または間接的に制御される。カメラシステム制御部１３０は、システムメモリ１３２を備える。システムメモリ１３２は、電気的に消去・記録可能な不揮発性メモリであり、例えばＥＥＰＲＯＭ（登録商標）等により構成される。システムメモリ１３２は、撮像装置２０の動作時に必要な定数、変数、プログラム等を、撮像装置２０の非動作時にも失われないように記録している。カメラ本体２２は、電源１４３から電力供給を受ける。電源制御部１４２は、電源１４３と通信して残電力の検出、電力供給の監視、給電を行う。電源１４３は、２次電池、家庭用ＡＣ電源等により構成される。また、交換レンズ２１への給電は、レンズマウント接点１２６、カメラマウント接点１３１を介して行われる。
【００２７】
操作検出部１４４は、上述した操作部材が操作されたことを検出してカメラシステム制御部１３０へ検出結果を出力する。カメラシステム制御部１３０は、検出された操作に応じた動作を実行する。具体的には、カメラシステム制御部１３０は、レリーズボタンの１段階目の押下げを検知することにより撮影準備動作であるＡＦ等を実行する。そして、カメラシステム制御部１３０は、レリーズボタンの２段階目の押下げを検知することにより撮像素子１３３による被写体像の取得動作を実行する。
【００２８】
測光センサ１４５は、ファインダ近傍に設けられ、被写体の明るさを検知する。露出制御部１４６は、測光センサ１４５の出力に応じて適正露出値を算出する。そして、露出制御部１４６は、ユーザが撮影モードダイヤルで選択した撮影モードに応じて、システムメモリ１３２からプログラム線図を取得し、プログラム線図および適正露出値に応じて適性絞り値、シャッタ速度、ＩＳＯ感度を決定する。
【００２９】
露出制御部１４６は、レリーズボタンの２段階目の押下げに応じて、適正絞り値に制絞り込む御信号をレンズシステム制御部１２０へ出力するとともに、決定したシャッタ速度で駆動させる制御信号をシャッタ１３４へ出力する。また、露出制御部１４６は、決定したＩＳＯ感度に対応する読み出しゲインを設定する制御信号を撮像素子１３３へ出力する。
【００３０】
通信部１４７は、外部の通信機器と通信する。通信部１４７は、一例として、Ｗｉ−Ｆｉ（登録商標）およびＢｌｕｅｔｏｏｔｈ（登録商標）等の無線方式により外部の通信機器と通信する。カメラシステム制御部１３０は、通信部１４７を介して、他の撮像装置と通信をする。
【００３１】
音声入力部１４８は、外部の音声を取り込んで音声データに変換する。音声入力部１４８から出力される音声データは、カメラシステム制御部１３０に送られる。カメラシステム制御部１３０は、音声入力部１４８から出力された音声データを記録部１４１に記録したり、通信部１４７を介して他の撮像装置に送信したりする。
【００３２】
音声出力部１４９は、音声データを再生し、音声として外部に出力する。カメラシステム制御部１３０は、記録部１４１から読み出したり、通信部１４７を介して他の撮像装置から受信したりして音声データを取得し、取得した音声データを音声出力部１４９に供給する。
【００３３】
ＡＦセンサ１５０には、光学系を透過して入射する被写体光束の一部がハーフミラー等により導かれる。ＡＦセンサ１５０は、ハーフミラー等から導かれた被写体光束の一部を受光する複数の光電変換素子列を有する。ＡＦセンサ１５０は、合焦状態にある場合には位相が一致した信号を出力し、前ピン状態または後ピン状態にある場合には、位相ずれした信号を出力する。位相のずれ量は、焦点状態からのずれ量に対応する。ＡＦセンサ１５０は、光電変換素子列の出力を相関演算することで位相差を検出して、位相差を示す位相差信号をＡＦ制御部１５１に出力する。
【００３４】
ＡＦ制御部１５１は、位相差ＡＦ方式またはコントラストＡＦ方式により、適正な目標位置にフォーカスレンズ１２２を移動させるための制御信号をレンズシステム制御部１２０へ出力する。具体的には、位相差ＡＦ方式で制御を行う場合には、ＡＦ制御部１５１は、ＡＦセンサ１５０から出力された位相差信号から検出された焦点状態に基づき、フォーカスレンズ１２２の目標位置を決定し、決定した目標位置に向けてレンズシステム制御部１２０の制御によってフォーカスレンズ１２２の位置を移動させる。
【００３５】
また、コントラストＡＦ方式で制御を行う場合には、ＡＦ制御部１５１は、Ａ／Ｄ変換器１３５からの画像データから被写体像のコントラストが大きくなる位置を検出する。そして、ＡＦ制御部１５１は、レンズシステム制御部１２０へ制御信号を出力してフォーカスレンズ１２２を移動させながら、被写体像のコントラストが大きくなる位置を検出し、検出した位置にフォーカスレンズ１２２を移動させる。このようなコントラストＡＦ方式は、撮像素子１３３により撮像された画像からフォーカス制御をすることができる。従って、ＡＦ制御部１５１は、例えば、電子ビューファインダにライブビュー画像を表示する場合において、コントラストＡＦ方式による制御を行うことができる。
【００３６】
図５は、アドバイスを記録する場合の処理ステップの一例を示す。撮像装置２０のカメラシステム制御部１３０は、アドバイスを記録する場合、ステップＳ１１からステップＳ１９の処理を実行する。まず、ステップＳ１１において、カメラシステム制御部１３０は、アドバイスの提供者の指示に応じて、ライブビュー画像、音声および設定値等の記録を開始する。
【００３７】
続いて、ステップＳ１２において、カメラシステム制御部１３０は、初期設定のアドバイスを記録する処理を実行する。ステップＳ１２において、アドバイスの提供者は、一例として、フラッシュ装置の装着の有無およびレンズの焦点距離等のアドバイスを、音声を発したり、操作をしたりして説明する。この間、カメラシステム制御部１３０は、表示制御部１３９からライブビュー画像の画像データを取得し、アドバイスの提供者の音声の音声データを音声入力部１４８から取得し、および、露出制御部１４６およびレンズシステム制御部１２０等から設定値等を取得し、取得した画像データ、音声データおよび設定値等を記録部１４１に記録して、初期設定のアドバイスとして保存する。
【００３８】
続いて、ステップＳ１３において、カメラシステム制御部１３０は、構図のアドバイスを記録する処理を実行する。ステップＳ１３において、アドバイスの提供者は、どの被写体を撮像範囲内のどこに位置させるか、ズーム倍率をどの程度とするか等のアドバイスを、音声を発したり、撮影範囲を移動させたり、ズーミングの操作をしたりして説明する。また、この場合において、アドバイスの提供者は、意図とは異なる構図のライブビュー画像をあえて示した後に、意図通りの構図のライブビュー画像を示して、両者の違いをライブビュー画像を参照しながら説明してもよい。そして、この間、カメラシステム制御部１３０は、ライブビュー画像の画像データ、アドバイスの提供者の音声データおよび設定値等を取得して記録し、構図のアドバイスとして保存する。
【００３９】
続いて、ステップＳ１４において、撮像装置２０のカメラシステム制御部１３０は、露出のアドバイスを記録する処理を実行する。ステップＳ１４において、アドバイスの提供者は、一例として、シャッタ速度、絞りおよびＩＳＯ感度等をどのような値に設定するのか等のアドバイスを、音声を発したり、操作をしたりして説明する。そして、この間、撮像装置２０のカメラシステム制御部１３０は、ライブビュー画像の画像データ、アドバイスの提供者の音声データおよび設定値等を取得して記録部１４１に記録し、露出のアドバイスとして保存する。
【００４０】
続いて、ステップＳ１５において、カメラシステム制御部１３０は、フォーカスのアドバイスを記録する処理を実行する。ステップＳ１５において、アドバイスの提供者は、一例として、フォーカスはどの被写体に合わせているのか等のアドバイスを、音声を発したり、操作をしたりして説明する。また、この場合において、アドバイスの提供者は、あえて前ピン、後ピンのライブビュー画像を示した後に、適正なフォーカス位置のライブビュー画像を示して、両者の違いをライブビュー画像を参照しながら説明してもよい。そして、この間、カメラシステム制御部１３０は、ライブビュー画像の画像データ、アドバイスの提供者の音声データおよび設定値等を取得して記録部１４１に記録し、フォーカスのアドバイスとして保存する。
【００４１】
続いて、ステップＳ１６において、アドバイスの提供者は、レリーズボタンの押下げ等をして撮像指示を行う。カメラシステム制御部１３０は、レリーズボタンの押下げ等によりアドバイスの提供者が撮像を指示したことに応じて、被写体を撮像して静止画像を生成する処理を実行する。また、カメラシステム制御部１３０は、撮像が指示されたことに応じて、ライブビュー画像の画像データ、音声データおよび設定値等の取得および記録を停止する。
【００４２】
続いて、ステップＳ１７において、カメラシステム制御部１３０は、ステップＳ１１からステップＳ１４のそれぞれにおいて記録したアドバイスを編集させる処理を実行する。アドバイスの提供者は、撮像装置２０の操作入力機能を用いて、ステップＳ１１からステップＳ１４において記録した画像および音声のうち不必要な部分を削除したり変更したり、テキストによるコメントを追加したりする。
【００４３】
続いて、ステップＳ１８において、撮像装置２０のカメラシステム制御部１３０は、静止画像の撮影のシチュエーションを決定する処理を実行する。撮像装置２０のカメラシステム制御部１３０は、一例として、撮像した静止画像に写っている被写体の種類、撮像日時、撮像時刻、位置情報（緯度、経度情報）、撮影した方角、被写体が動いている物体か静止している物体かを判別する動体情報、色分布および露出分布等の情報を取得して、静止画像の撮影のシチュエーションを決定するためのタグを生成する。そして、撮像装置２０のカメラシステム制御部１３０は、生成したタグと、サンプルとなる多数の撮影のシチュエーションにおけるタグのそれぞれとを比較して、一致または最も近似する撮影のシチュエーションを、当該静止画像の撮影のシチュエーションとする。
【００４４】
なお、アドバイスの提供者が撮影のシチュエーションを決定し、撮像装置２０に決定した撮影のシチュエーションを入力してもよい。また、撮像装置２０のカメラシステム制御部１３０が撮影のシチュエーションを決定するのではなく、アドバイスファイルをサーバ１２にアップロードした後において、サーバ１２が撮影のシチュエーションを決定してもよい。
【００４５】
続いて、ステップＳ１９において、撮像装置２０のカメラシステム制御部１３０は、編集を終えた画像、音声、設定値、テキスト、実際に撮像した静止画像、サムネイル画像、および、タグを予め定められたフォーマットにファイル化して、アドバイスファイルを生成する。そして、カメラシステム制御部１３０は、ファイル化したアドバイスファイルを通信部１４７を介してサーバ１２にアップロードする。なお、アップロードは、当該撮像装置２０がコンピュータに接続された場合に、コンピュータに実行させてもよい。
【００４６】
以上のように、撮像装置２０によれば、撮影のシチュエーション毎に、そのシチュエーションにおいてより良い画像を撮影するためのアドバイスを、熟練者等に生成させることができる。
【００４７】
図６は、アドバイス提供モードの処理ステップを示す。図７は、本実施形態に係る撮像装置２０のライブビュー画像１００の一例を示す。撮像装置２０のカメラシステム制御部１３０は、アドバイスを提供する場合、アドバイスの提供を受ける使用者の指示に応じて、ステップＳ２１からステップＳ２４の処理を実行する。
【００４８】
まず、ステップＳ２１において、撮像装置２０のカメラシステム制御部１３０は、表示制御部１３９からライブビュー画像の画像データを取得して、ライブビュー画像に含まれる少なくとも１つの被写体の種類を認識する。例えば、撮像装置２０のカメラシステム制御部１３０は、図７に示されるようなライブビュー画像１００が取り込まれている場合には、水平線１０２、太陽１０４、山１０６および海岸線１０８を被写体として認識する。
【００４９】
続いて、ステップＳ２２において、撮像装置２０のカメラシステム制御部１３０は、認識した被写体の種類に応じて、使用者が撮像しようとしている静止画像における撮影のシチュエーションを判別する。撮像装置２０のカメラシステム制御部１３０は、一例として、使用者が撮像しようとしている静止画像における撮影のシチュエーションが、予め定められた複数のシチュエーションのうちの何れであるかを判別する。この場合において、撮像装置２０のカメラシステム制御部１３０は、一例として、認識した被写体の種類に加えて、撮像日時、撮像時刻、位置情報（緯度、経度情報）、撮影する方角、動体情報、色分布および露出分布等を取得し、これらの情報を利用して、撮影のシチュエーションを判別してもよい。例えば、図７の場合であれば、撮像装置２０のカメラシステム制御部１３０は、撮像時刻が夕方であり、位置情報および方角から海岸線を撮影しており、被写体に水平線１０２、太陽１０４および海岸線１０８を含むことから、撮影のシチュエーションが「夕焼けの波打ち際」であると判断する。
【００５０】
続いて、ステップＳ２３において、撮像装置２０のカメラシステム制御部１３０は、判別した撮影のシチュエーションに対応するアドバイスファイルを例えば記録部１４１から取得する。撮像装置２０のカメラシステム制御部１３０は、サーバ１２から予めダウンロードして記録部１４１に格納された複数のアドバイスファイルの中から、対応する一つのアドバイスファイルを取得する。また、撮像装置２０のカメラシステム制御部１３０は、通信部１４７を介してサーバ１２に接続できる場合には、サーバ１２から対応する一つのアドバイスファイルを取得する。また、撮像装置２０のカメラシステム制御部１３０は、同一のシチュエーションのアドバイスファイルが複数存在する場合には、タグがより近似するアドバイスファイルを取得する。例えば、撮像装置２０のカメラシステム制御部１３０は、撮像日時がより近いまたは色分布がより近いアドバイスファイル等を取得する。
【００５１】
続いて、ステップＳ２４において、撮像装置２０のカメラシステム制御部１３０は、アドバイスファイル内のデータを再生して、使用者にアドバイスを提供する。撮像装置２０のカメラシステム制御部１３０は、一例として、事前連続再生（Ｓ２５）、ステップ再生（Ｓ２６）およびピンポイント再生（Ｓ２７）の３つの方法によりアドバイスを提供することができる。
【００５２】
事前連続再生（Ｓ２５）によりアドバイスを提供する場合、撮像装置２０のカメラシステム制御部１３０は、撮影に先立ってアドバイスファイルに含まれる動画像データ、音声データおよびテキストデータを連続して全て再生する。これにより、使用者は、撮影に先立って、アドバイスを全て習得することができる。
【００５３】
ステップ再生（Ｓ２６）によりアドバイスを提供する場合、撮像装置２０のカメラシステム制御部１３０は、操作中において、その設定の段階において習得すべきアドバイスを提供する動画像データ、音声データおよびテキストデータを再生する。また、撮像装置２０のカメラシステム制御部１３０は、その設定の段階において、設定される設定値（例えば、シャッタ速度、絞りおよびＩＳＯ感度等）を表示する。これにより、使用者は、実際に撮影のための設定をしながら、必要なアドバイスを習得することができる。
【００５４】
ピンポイント再生（Ｓ２７）によりアドバイスを提供する場合、撮像装置２０のカメラシステム制御部１３０は、撮影の設定をしている最中において、使用者がアドバイスをしてほしいと希望する観点についてのみ、動画像データ、音声データおよびテキストデータ等を再生する。例えば、撮像装置２０のカメラシステム制御部１３０は、撮影の操作中において、使用者が特定の被写体を指定してアドバイスの提供を希望した場合、その指定された被写体に関する撮影のアドバイスを含む動画像データ、音声データおよびテキストデータ等を再生する。これにより、使用者は、必要なアドバイスを効率良く習得することができる。
【００５５】
図８は、ステップ再生（Ｓ２６）において表示部３６に表示されるライブビュー画像１００およびアドバイス用の動画像２００の一例を示す。静止画像の撮影操作中においてライブビューモードとした場合、撮像装置２０のカメラシステム制御部１３０は、表示部３６に、ライブビュー画像１００を表示する。
【００５６】
ここで、ステップ再生（Ｓ２６）においては、撮像装置２０のカメラシステム制御部１３０は、ライブビュー画像１００を表示部３６に表示しながら、アドバイスファイルに含まれる動画像データ、音声データおよびテキストデータ等を出力する。この場合において、撮像装置２０は、アドバイスファイルに含まれる動画像データおよびテキストデータを、ライブビュー画像１００とともに表示部３６に表示する。
【００５７】
例えば、図８に示されるように、撮像装置２０のカメラシステム制御部１３０は、アドバイス用の動画像２００をライブビュー画像１００上の一部に重ねて表示する。この場合おいて、撮像装置２０のカメラシステム制御部１３０は、一例として、アドバイス用の動画像２００をライブビュー画像１００よりも小さいサイズとし、画面のコーナー部分に表示する。これにより、撮像装置２０によれば、現在のライブビュー画像１００と、アドバイス用の動画像２００とを比較させることができる。
【００５８】
図９は、ステップ再生（Ｓ２６）におけるアドバイスの提供ステップおよびアドバイス用の動画像２００の一例を示す。ステップ再生（Ｓ２６）においては、撮像装置２０のカメラシステム制御部１３０は、ステップＳ３１からステップＳ３４の処理を順番に実行する。
【００５９】
まず、ステップＳ３１において、撮像装置２０のカメラシステム制御部１３０は、初期設定のアドバイスを提供する処理を実行する。より具体的には、撮像装置２０のカメラシステム制御部１３０は、選択したアドバイスファイルに含まれる、初期設定のアドバイスを記録した動画像データ、音声データおよびテキストデータを再生して出力する。撮像装置２０のカメラシステム制御部１３０は、一例として、フラッシュ装置の装着およびレンズの交換等に関するアドバイスを記録した動画像データ、音声データおよびテキストデータ等を再生して出力する。これにより、使用者は、熟練者がどのように考えて初期設定をしているかを知ることができる。
【００６０】
続いて、ステップＳ３２において、撮像装置２０のカメラシステム制御部１３０は、構図についてのアドバイスを使用者に提供する処理を実行する。より具体的には、撮像装置２０のカメラシステム制御部１３０は、選択したアドバイスファイルに含まれる、構図のアドバイスを記録した動画像データ、音声データおよびテキストデータ等を再生して出力する。
【００６１】
撮像装置２０のカメラシステム制御部１３０は、一例として、アングルおよびズーミング等のアドバイスを記録した動画像データ、音声データおよびテキストデータ等を再生して出力する。図９の例のシチュエーションにおいては、ステップＳ３２のアドバイス用の動画像２００に示されるように、撮像装置２０のカメラシステム制御部１３０は、山１０６および海岸線１０８が撮像範囲内に完全に含まれるようにズーミングを調整することをアドバイスする。さらに、撮像装置２０のカメラシステム制御部１３０は、水平線１０２が画面の中央のやや上に位置するようにアングルを調整することをアドバイスする。これにより、使用者は、熟練者がどのように考えて構図を設定しているかを知ることができる。
【００６２】
続いて、ステップＳ３３において、撮像装置２０のカメラシステム制御部１３０は、露出のアドバイスを使用者に提供する。より具体的には、撮像装置２０のカメラシステム制御部１３０は、選択したアドバイスファイルに含まれる、露出のアドバイスを記録した動画像データ、音声データおよびテキストデータ等を再生して出力する。
【００６３】
撮像装置２０のカメラシステム制御部１３０は、一例として、何れの被写体を基準としてシャッタ速度および絞り値を決定するかについてのアドバイスを記録した動画像データ、音声データおよびテキストデータ等を再生して出力する。図９の例のシチュエーションにおいては、撮像装置２０のカメラシステム制御部１３０は、ステップＳ３３のアドバイス用の動画像２００に示されるように、シャッタ速度および絞り値を示した表示ボックス１１０内に表示することにより、太陽１０４と山１０６とのコントラストを考慮してシャッタ速度および絞りを設定することをアドバイスする。これにより、使用者は、熟練者がどのように考えて露出を設定しているかを知ることができる。
【００６４】
続いて、ステップＳ３４において、撮像装置２０のカメラシステム制御部１３０は、フォーカスのアドバイスを使用者に提供する処理を実行する。より具体的には、撮像装置２０のカメラシステム制御部１３０は、選択したアドバイスファイルに含まれる、フォーカスを合わせる被写体についてのアドバイスを記録した動画像データ、音声データおよびテキストデータ等を再生して出力する。
【００６５】
撮像装置２０のカメラシステム制御部１３０は、一例として、何れの被写体にフォーカスを合わせ、何れの被写体をぼかすかについてのアドバイスを記録した動画像データ、音声データおよびテキストデータ等を再生して出力する。図９の例のシチュエーションにおいては、撮像装置２０のカメラシステム制御部１３０は、ステップＳ３４のアドバイス用の動画像２００に示されるように、フォーカス位置を示すマーク１１２をアドバイス用の動画像２００内に表示して、太陽１０４にフォーカスを合わせて、海岸線１０８をぼかすことをアドバイスする。これにより、使用者は、熟練者がどのように考えてフォーカスを合わせているかを知ることができる。
【００６６】
以上のように、撮像装置２０によれば、設定ステップのそれぞれについて、使用者に順次にアドバイスを提供することができる。これにより、撮像装置２０は、それぞれの設定ステップにおいて適切なアドバイスを使用者に提供することができる。
【００６７】
なお、ステップＳ３１からステップＳ３４までに表示すべき動画像および出力すべき音声データが１つの連続したデータに含まれている場合、撮像装置２０のカメラシステム制御部１３０は、使用者が操作しなければならないタイミングにおいてアドバイス用の動画像の再生および音声の出力を一時停止する。撮像装置２０のカメラシステム制御部１３０は、一例として、初期設定についてのアドバイス（Ｓ３１）、構図のアドバイス（Ｓ３２）、露出のアドバイス（Ｓ３３）、および、フォーカスのアドバイス（Ｓ３４）のそれぞれが終了した段階で、アドバイス用の動画像の再生および音声の出力を一時停止する。
【００６８】
そして、撮像装置２０のカメラシステム制御部１３０は、使用者がアドバイス用の動画像の再生および音声の出力を指示した場合、およびアドバイスに基づいた操作を受けた場合の少なくとも一方の場合に、アドバイス用の動画像の再生および音声の出力を再開する。これにより、撮像装置２０は、各段階において操作が完了する毎に直ぐにアドバイスが開始されるので無駄な時間を無くし、また、設定が完了する前に次のアドバイスが開始されてしまうことを防止することができる。
【００６９】
図１０は、ピンポイント再生（Ｓ２７）において表示されるライブビュー画像１００の一例を示す。ピンポイント再生（Ｓ２７）においては、撮像装置２０のカメラシステム制御部１３０は、判別された撮影のシチュエーションにおいて提供可能なアドバイスが存在することを使用者に通知する。
【００７０】
撮像装置２０のカメラシステム制御部１３０は、一例として、ライブビュー画像１００内に含まれるそれぞれの被写体のうちアドバイスが存在する被写体に対応付けて、アドバイスが存在することを示すマーク２１０を表示部３６上に表示する。図１０の例のシチュエーションにおいては、撮像装置２０のカメラシステム制御部１３０は、ライブビュー画像１００上における人物、水平線、および、丘のそれぞれに対応する位置に重ねてマーク２１０を表示する。
【００７１】
図１１は、人物に関するアドバイスが表示されたライブビュー画像１００の一例を示す。図１２は、水平線に関するアドバイスが表示されたライブビュー画像１００の一例を示す。
【００７２】
そして、撮像装置２０のカメラシステム制御部１３０は、使用者から、アドバイスの提供指示を受けたことを条件として、アドバイスを提供する処理を実行する。撮像装置２０のカメラシステム制御部１３０は、一例として、使用者がマーク２１０を選択する操作を検出した場合、選択されたマーク２１０に対応するアドバイスをライブビュー画像１００上に重ねて表示する。
【００７３】
図１１の例においては、撮像装置２０のカメラシステム制御部１３０は、水平線に対応するマーク２１０を使用者が選択したことに応じて、水平線の構図をどのよう設定すべきか等のアドバイスをテキストにより表示する。また、図１２の例においては、撮像装置２０のカメラシステム制御部１３０は、人物に対応するマーク２１０を使用者が選択したことに応じて、人物の構図をどのように設定すべきか等のアドバイスをテキストにより表示する。
【００７４】
以上のように撮像装置２０によれば、アドバイスが存在するか否かを示すマーク２１０のみを示しておき、使用者が提供の指示をしたときのみ対応するアドバイスを提供する。これにより、撮像装置２０によれば、必要最小限のアドバイスを使用者に適用できるので、使用者のレベルに応じた適切なアドバイスをすることができる。
【００７５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７７】
１０  アドバイス提供システム、１１  光軸、１２  サーバ、２０  撮像装置、２１  交換レンズ、２２  カメラ本体、３６  表示部、１００  ライブビュー画像、１０２  水平線、１０４  太陽、１０６  山、１０８  海岸線、１１０  表示ボックス、１１２  マーク、１２０  レンズシステム制御部、１２１  ズームレンズ、１２２  フォーカスレンズ、１２３  絞り、１２４  レンズ駆動回路、１２５  絞り駆動回路、１２６  レンズマウント接点、１３０  カメラシステム制御部、１３１  カメラマウント接点、１３２  システムメモリ、１３３  撮像素子、１３４  シャッタ、１３５  Ａ／Ｄ変換器、１３６  画像処理部、１３７  メモリ制御部、１３８  内部メモリ、１３９  表示制御部、１４０  外部機器ＩＦ、１４１  記録部、１４２  電源制御部、１４３  電源、１４４  操作検出部、１４５  測光センサ、１４６  露出制御部、１４７  通信部、１４８  音声入力部、１４９  音声出力部、１５０  ＡＦセンサ、１５１  ＡＦ制御部、２００  アドバイス用の動画像、２１０  マーク
【図１】
2013128251.tif 000003
【図２】
2013128251.tif 000004
【図３】
2013128251.tif 000005
【図４】
2013128251.tif 000006
【図５】
2013128251.tif 000007
【図６】
2013128251.tif 000008
【図７】
2013128251.tif 000009
【図８】
2013128251.tif 000010
【図９】
2013128251.tif 000011
【図１０】
2013128251.tif 000012
【図１１】
2013128251.tif 000013
【図１２】
2013128251.tif 000014